(57)【要約】【課題】クライミングレールおよびそれに連結された装備品の重量によってもたらされる、可能な限りモーメントのない力を壁内の係留点内へと誘導し、かつ／またはそれらの力をモーメントのないやり方で受けることができる、クライミングシューを提供する。【解決手段】クライミングシュー（１０）は、摺動シュー部分（１６）および壁シュー部分（１８）を備える。摺動シュー部分（１６）は、クライミングレールを案内し保持することができるように設計される。壁シュー部分（１８）は、関節をなすやり方で、摺動シュー部分（１６）に連結される。【選択図】図７
2008546937.tif 000002
【特許請求の範囲】
【請求項１】
建物領域内のクライミング型枠のためのクライミングシューであって、摺動シュー部分（１６）と、壁または天井シュー部分（１８）とを備え、前記壁または天井シュー部分（１８）は、壁（１２）またはコンクリート部分（１４）の天井に固定的なやり方で締結させることができ、前記摺動シュー部分（１６）は、クライミングレール（２０）を案内および保持する手段を有し、それによって、前記壁または天井シュー部分（１８）は、関節をなすやり方で前記摺動シュー部分（１６）に連結される、クライミングシュー。
【請求項２】
前記壁または天井シュー部分（１８）が、取外し可能なスタブシャフト（３４）によって、前記摺動シュー部分（１６）に連結されることを特徴とする、請求項１に記載のクライミングシュー。
【請求項３】
前記スタブシャフト（３４）が、水平に位置合せされることを特徴とする、請求項２に記載のクライミングシュー。
【請求項４】
前記壁または天井シュー部分（１８）が本質的に、前記摺動シュー部分（１６）と無関係に枢動可能であることを特徴とする、請求項１から３に記載のクライミングシュー。
【請求項５】
前記壁または天井シュー部分（１８）が、垂直軸（５８）の周りで枢動可能であり、前記摺動シュー部分（１６）が、水平軸の周りで前記壁または天井部分（１８）に対して枢動可能であることを特徴とする、請求項１または４に記載のクライミングシュー。
【請求項６】
前記摺動シュー部分（１６）内に、枢動可能なキャッチ（２２）がクライミングレール（２０）の荷重担持ボルト（２４）の架台として設けられることを特徴とする、請求項５に記載のクライミングシュー。
【発明の詳細な説明】
【技術分野】
【０００１】
本発明は、既に製作されたコンクリート部分上の構造の壁上でレールを保持するために使用されるような、クライミング型枠のためのクライミングシューに関する。
【背景技術】
【０００２】
知られているクライミングシューは、壁上でクライミングレールを案内および保持し、新しいコンクリート部分を立設するために必要な装備品を、クライミングレールに取り付けることができる。クライミングレールは、クライミングシュー内部で必要に応じて動かすことができ、クライミングシュー内の所要の位置で、堅く保持することができる。クライミングシュー、および壁に取り付けられるクライミングシューによって壁内に設けられる係留点上に、大きな荷重が作用するので、係留点およびクライミングシューはいずれも、こうした力を確実かつ耐久的に受けることができるように、構造的に設計されなければならない。
【発明の開示】
【発明が解決しようとする課題】
【０００３】
本発明の目的は、クライミングレールおよびそれに連結された装備品の重量によってもたらされる、可能な限りモーメントのない力を壁内の係留点内へと誘導し、かつ／またはそれらの力をモーメントのないやり方で受けることができる、クライミングシューを提供することである。
【課題を解決するための手段】
【０００４】
この目的は、摺動シュー部分と壁または天井シュー部分とを備える、クライミング型枠のためのクライミングシューによって達成され、壁または天井シュー部分は、壁、またはコンクリート部分の天井に、強固に締結させることができ、摺動シュー部分は、クライミングレールを案内および保持する手段を有し、壁または天井シュー部分は、関節をなすやり方で前記摺動シュー部分に連結される。
【０００５】
壁または天井と摺動シュー部分との間の関節式連結部によって、摺動シュー部分を、クライミングレールに取り付けることができ、クライミングレールは、荷重を受け、摺動シュー部分内に形成されたキャッチに対するカウンタベアリングとして作用し、キャッチは、支持部としてクライミングレールの荷重受けボルトを保持する。関節式ベアリングによって、摺動シュー部分を、力の流れが最適化されるという観点に従って、クライミングレール、壁または天井シュー部分、および壁内の係留点に対して位置合せすることが可能になる。
【０００６】
本発明のさらなる実施形態では、壁または天井シュー部分は、取外し可能なスタブシャフトによって、摺動シュー部分に連結される。これは、クライミングシューを、必要に応じて分割することができるという利点を有する。これによって、クライミングレールのより容易な組み込みまたは取外しが可能になる。スタブシャフトは、好ましくは水平である。スタブシャフトの水平な位置合せによって、摺動シュー部分を、壁または天井シュー部分に対して水平に枢動させることが可能になり、取外し可能なスタブシャフトによって、クライミングシューを、壁および天井シュー部分と摺動シュー部分とに、容易に分割することができる。
【０００７】
さらなる利点は、壁または天井シュー部分が、摺動シュー部分と無関係に枢動可能である場合にもたらされる。クライミングシュー内の、このさらなる関節継手によって、カルダン継手を形成することができる。そのようなクライミングシューはまた、丸みを帯びた壁上でも使用することができる。クライミングシューがカルダン継手を有する場合、クライミングシュー内で保持されるクライミングレールを、常に互いに平行に位置合せすることができる。これはまた、たとえば持送りまたはレールなど、クライミングレール上の装備品の、平行な配列を可能にする。
【０００８】
カルダン継手を形成するために、壁または天井シュー部分は、垂直軸の周りで枢動可能であり、摺動シュー部分は、水平軸の周りで壁または天井シュー部分に対して枢動可能である。
【０００９】
摺動シュー部分内で支えられる枢動可能なキャッチは、クライミングレールの荷重受けボルトのための支持部として働き、キャッチは、摺動シュー部分内のクライミングレールの移動が可能となるような方法で、摺動シュー部分内で枢動させることができる。クライミングレールが上昇するとき、キャッチは、荷重担持ボルトと非係合状態になり、クライミング手順が終了すると、キャッチは、自動的に枢動してその初期位置へと戻り、その新しい位置内の構造の壁部上で、クライミングレールを非可動式に再び保持することができる。
【００１０】
本発明によるクライミングシューを、以下の図において示し説明する。実施形態において図示および説明される継手は、例であると理解されるべきであり、別の構造の実施形態によって形成することもできる。クライミングレールの荷重担持ボルトはまた、摺動シュー部分の適当なキャッチ凹部内に係合することができる開口部、ブラケット、または突起で置換することもできる。
【００１１】
本発明によれば、壁または天井シュー部分内の１つの継手のみを有し、かつ壁または天井シュー部分と摺動シュー部分との間の強固な連結部を有するクライミングシューも、当然使用することができる。接合部は、垂直または水平に構成することができる。
【発明を実施するための最良の形態】
【００１２】
図は、本発明の実施形態を非常に概略的な形で示し、縮尺通りではない。
【００１３】
同一の機能的要素は、以下で説明する図において、主に同一の参照番号で示す。これらの機能的要素は、最も異なる方法で設計することができる。
【００１４】
図１は、クライミングシュー１０の側面図および部分断面図において、それが係留点にてコンクリート部分１４の壁１２へと固定的なやり方で、どのように取り付けられるかを示す。クライミングシュー１０は、摺動シュー部分１６および壁シュー部分１８を備える。クライミングレール２０は、摺動シュー部分１６のキャッチ２２によって保持され、クライミングレール２０の荷重担持ボルト２４を下方から支持するそのキャッチ２２内で、側面に沿って案内される。キャッチ２２は、その外側への最大枢動位置において示されており、摺動シュー１６内のカウンタベアリングが、キャッチ２２のさらなる時計回り方向の枢動を妨げる。
【００１５】
クライミングシリンダ２６が、クライミングシュー１０の摺動シュー部分１６上に取り付けられている。クライミングシリンダ２６の最低部のみを見ることができ、ケーシング２８がそれに連結され、それによってクライミングシリンダ２６が、クライミングシュー１０の関節シャフト３０上に配置されている。固定ボルト３２が、関節シャフト３０の周りのクライミングシリンダ２６の枢動範囲を損なわずに、ケーシング２８を関節接合部３０に固定する。固定ボルト３２が、ばね力に逆らって引っ張ることによって関節シャフト３０と非係合状態になる場合、クライミングシリンダ２６を、関節シャフト３０から取り外すことができる。クライミングシリンダ２６のケーシング２８は、摺動シュー部分１６のケーシング壁上の、ゴムまたは粘塑性要素３３によって支持される。
【００１６】
摺動シュー部分１６は、水平に構成されたスタブシャフト３４によって、関節をなすやり方で壁シュー部分１８に連結される。摺動シュー部分１６は、スタブシャフト３４の周りで、壁シュー部分１８に対して枢動させることができる。
【００１７】
摺動シュー部分１６内で、キャッチ２２を、枢動点３６の周りでばね３８の圧力に逆らって、反時計回りに枢動させることができる。
【００１８】
キャッチ２２が、クライミングレール２０の荷重担持ボルト２４を通した重量荷重を受けない場合、キャッチ２２は、レバー４０を用いて手動で、摺動シュー部分１６内でばね３８の圧力に逆らって枢動させることができる。これは、クライミングレール２０を、静止したクライミングシュー１０に対して下向きに動かさなければならないときに、いつでも必要となる。
【００１９】
図は、コンクリート部分１４、クライミングレール２０、およびクライミングシリンダ２６の、細部のみを示す。
【００２０】
図２は、クライミングシリンダ２０によって、コンクリート部分１４の壁１２に沿って矢印４２の方向へと上方に動かされるときの、クライミングレール２０のモーメントによる持上げを示す。クライミングレール２０の、矢印４２の方向でのこのクライミング手順のために、クライミングシリンダ２６のピストンが伸張させられ、ピストンはまた、その自由端部にて、クライミングレール２０の荷重担持ボルト２４を下方から把持および支持することができるキャッチを有する。
【００２１】
クライミングレール２０が、クライミングシリンダ２６によって矢印４２の方向に動かされるとき、クライミングレール２０の荷重担持ボルト２４は、キャッチ２２の逆傾斜部４４上に押しつけられ、キャッチ２２を、枢動点３６の周りでばね３８の圧力に逆らって枢動させる。次いでキャッチ２２は、クライミングシュー１０の摺動シュー部分１６内へと枢動する。
【００２２】
図３は、コンクリート部分１４の壁１２上にある、図１および図２のクライミングシュー１０、ならびに、キャッチ２２がどのように、ばね３８の力によって回転点３６の周りで枢動してその初期位置へと戻るかを示す。クライミングレール２０が、クライミングシリンダ２６によって矢印４２の方向にさらに動かされ、そのため荷重担持ボルト２４がキャッチ２２を再び解放し、それによってキャッチ２２が、その初期設定へと枢動して戻ることができた。
【００２３】
クライミングシリンダ２６が収縮されるとき、荷重担持ボルト２４は、キャッチ２２上に載り、クライミングシュー１０は、クライミングレール２０を、図示のコンクリート部分１４の壁１２上の位置に保持する。
【００２４】
図４は、摺動シュー部分１６および天井シュー部分４６で構成される、修正されたクライミングシュー１０の側面図を示す。天井シュー部分４６は、コンクリート部分１４の天井４８上に載り、また、固定的なやり方でそこに締結される。サブシャフト３４によって、摺動シュー部分１６は、関節をなすやり方で天井シュー部分４６に取り付けられる。スタブシャフト３４が、天井シュー部分４６から取り外される場合、摺動シュー部分１６をつめ５０と共に、天井シュー部分４６から取り外すことができる。クライミングレールが挿入されるときに、クライミングレールの荷重担持ボルトの下部を把持し、あるいは、クライミング手順中に荷重担持ボルトによって枢動させることができる、摺動シュー部分１６の１つまたは複数のキャッチは、つめ５０によって覆われる。関節をなすやり方で摺動シュー部分１６内のキャッチに取り付けられた、レバー４０が図示され、レバー４０によって、摺動シュー部分１６内の１つまたは複数のキャッチを、手動で枢動させることができる。
【００２５】
ブラケット５２が、関節シャフト３０を有する摺動シュー部分１６上に示されている。関節シャフト３０上に、クライミングシリンダを配置することができる。
【００２６】
図５は、摺動シュー部分１６および壁シュー部分１８を備えるクライミングシュー１０が、コンクリート部分１４の壁１２へと固定的なやり方で、どのように取り付けられるかを示す平面図である。摺動シュー部分１６は、スタブシャフト３４によって、関節をなすやり方で壁シュー部分１８に連結される。つめ５０は、クライミングレール２０のＵ字形側面（プロファイル）のリムを包囲し、壁１２上で案内されるクライミングレール２０を保持する。摺動シュー部分１６のキャッチ２２は、クライミングレール２０の片側上の、荷重受けボルト２４を支持する。摺動シュー部分１６上に、クライミングシリンダを取り付けるための、関節シャフト３０が構成されている。左側のつめ５０の可能な枢動運動を妨げる係止ボルト５６が、その保持装置から引き抜かれる場合、片方のつめ５０を、軸５４の周りで枢動させることができる。
【００２７】
図６は、つめ５０が一方の外側に回転された、図５のクライミングシュー１０を示す。
【００２８】
クライミングレール２０が存在する状態でも、コンクリート部分１４の壁１２上のクライミングシュー１０が分解されまたは取り外される場合、係止ボルト５６が、摺動シュー部分１６の剛性の壁部分と非係合状態にされつめ５０内部の開口から引き抜かれる場合に、摺動シュー部分１６の１つのつめ５０を、回転させて開くことができる。係止が解放された後に、つめ５０を、軸５４の周りで枢動させることができる。つめ５０が回転して開かれている場合、係止ボルト５６を、つめ５０を係止するその位置内に再び配置することができ、したがって、つめ５０が図示の位置に維持されることが保証される。摺動シュー部分１６と壁シュー部分１８との間のスタブシャフト３４が、それを接合ベアリングから矢印５７の方向に引き出すことによって取り外される場合、摺動シュー部分１６を、クライミングレール２０から取り外すことができる。必要に応じて、壁シュー部分１８もまた、壁内の係留点から緩めて取り外すことができる。
【００２９】
図７は、コンクリート部分１４の壁１２上の、カルダン式に支えられた（ｃａｒｄａｎ−ｂｏｒｎｅ）クライミングシュー１０の側面図を示す。摺動シュー部分１６は、スタブシャフト３４によって、関節をなすやり方で壁シュー部分１８に水平に連結される。図１から図６のクライミングシューに加えて、壁シュー部分１８は、垂直の軸５８を有し、その周りで壁シュー部分１８を、摺動シュー部分１６共に必要に応じて枢動させることができる。摺動シュー部分１６上に、関節シャフト３０を有するブラケット５２がある。つめ５０は、つめ５０の間に構成されたキャッチを覆う。
【００３０】
図８は、図７の、カルダン式に支えられたクライミングシュー１０の平面図を示す。クライミングシュー１０は、コンクリート部分１４の壁１２上で固定的に保持され、垂直軸５８の周り、およびスタブシャフト３４によって形成された水平軸の周りで、枢動させることができる。摺動シュー部分１６は、スタブシャフト３４によって壁シュー部分１８上で枢動式に保持されており、壁シュー部分１８は、軸５８によって、摺動シュー部分から独立して摺動させることができる。つめ５０が、軸５４の周りで枢動式に支えられ、係止ボルト５６は、係止位置において、摺動シュー部分１６と枢動可能なつめ５０との間に、強固なつめ連結部をもたらす。枢動可能なキャッチ２２が、摺動シュー部分１６内でつめ５０の間に構成される。
【００３１】
図９は、丸みを帯びて示される、コンクリート部分１４の平面図を示す。コンクリート部分１４上に設けられた係留点にて、クライミングシュー１０が取り付けられ、クライミングシュー１０はそれぞれ、つめの間のクライミングレール２０を案内し、また、クライミングレール２０は、クライミングシュー１０内に構成されたキャッチを用いて、クライミングレール２０内に設けられた荷重担持ボルト２４によって定位置に保持される。
【００３２】
クライミングレール２０に、持送りおよび／またはレール６０が取り付けられており、持送りおよび／またはレール６０同士は、カルダン式に支えられたクライミングシュー１０によって、コンクリート部分１４上で常に平行に配列される。持送りまたはレール６０が常に平行である場合、コンクリート部分１４内に異なる湾曲部が存在する際も、レール６０によって型枠キャリッジを、コンクリート部分１４へと、かつコンクリート部分１４から、動かすことができる。持送り６０またはレールが、コンクリート部分１４の曲率半径と無関係に互いに平行になるように、垂直軸５８によって、クライミングシュー１０を、クライミングレールと常に位置合せすることができる。
【００３３】
クライミングシュー１０は、摺動シュー部分１６および壁シュー部分１８を備える。摺動シュー部分１６は、クライミングレールを案内し、保持することができるように設計される。壁シュー部分１８は、関節をなすやり方で、摺動シュー部分１６に連結される。
【図面の簡単な説明】
【００３４】
【図１】クライミングシューがどのように、固定的なやり方でコンクリートの壁に取り付けられ、クライミングレールを非可動式に案内し保持するかを、本発明によるクライミングシューを通る断面において示す図である。
【図２】キャッチがクライミングシュー内へと枢動させられた状態の、本発明によるクライミングシューを通る断面図である。
【図３】キャッチがクライミングシューの外側へと枢動させられ、荷重担持ボルトと係合しない状態である、図１および図２による、本発明によるクライミングシューを通る断面図である。
【図４】コンクリート部分の天井上に配置され締結された天井シュー部分を有する、クライミングシューを示す図である。
【図５】つめでクライミングレールを把持する、コンクリート部分に取り付けられたクライミングシューを示す平面図である。
【図６】クライミングレールからの取外しのために片側でつめが開いた状態である、壁のコンクリート部分に取り付けられたクライミングシューを示す平面図である。
【図７】水平および垂直に位置合せされた軸の周りのカルダン継手を用いて、コンクリート部分の壁に固定的なやり方で取り付けられた、クライミングシューを示す側面図である。
【図８】図７によるクライミングシューを示す平面図である。
【図９】カルダン継手を用いて固定的なやり方で、コンクリート部分の凸状の壁に取り付けられたクライミングシューを、平行に配列された持送りまたはレール要素を保持するクライミングレールと共に示す図である。
【図１】
2008546937.tif 000003
【図２】
2008546937.tif 000004
【図３】
2008546937.tif 000005
【図４】
2008546937.tif 000006
【図５】
2008546937.tif 000007
【図６】
2008546937.tif 000008
【図７】
2008546937.tif 000009
【図８】
2008546937.tif 000010
【図９】
2008546937.tif 000011
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
建物領域内のクライミングシュー（１０）であって、摺動シュー部分（１６）と、壁または天井シュー部分（１８）とを備え、前記壁または天井シュー部分（１８）は、壁（１２）またはコンクリート部分（１４）の天井に固定的なやり方で締結させることができ、前記摺動シュー部分（１６）は、クライミングレール（２０）を案内および保持する手段を有し、それによって、前記壁または天井シュー部分（１８）は、関節をなすやり方で前記摺動シュー部分（１６）に連結され、前記壁または天井シュー部分（１８）が、垂直軸（５８）の周りで枢動可能であり、前記摺動シュー部分（１６）が、水平軸の周りで前記壁または天井シュー部分（１８）に対して枢動可能であるクライミングシュー（１０）。
【請求項２】
前記壁または天井シュー部分（１８）が、取外し可能なスタブシャフト（３４）によって、前記摺動シュー部分（１６）に連結されることを特徴とする、請求項１に記載のクライミングシュー。
【請求項３】
前記摺動シュー部分（１６）内に、枢動可能なキャッチ（２２）がクライミングレール（２０）の荷重担持ボルト（２４）の架台として設けられることを特徴とする、請求項１または２に記載のクライミングシュー。
【手続補正２】
【補正対象書類名】明細書
【補正対象項目名】全文
【補正方法】変更
【補正の内容】
【発明の詳細な説明】
【技術分野】
【０００１】
本発明は、既に製作されたコンクリート部分上の構造の壁上でレールを保持するために使用されるような、建物領域内のクライミングシューに関する。
【背景技術】
【０００２】
知られているクライミングシューは、壁上でクライミングレールを案内および保持し、新しいコンクリート部分を立設するために必要な装備品を、クライミングレールに取り付けることができる。クライミングレールは、クライミングシュー内部で必要に応じて動かすことができ、クライミングシュー内の所要の位置で、堅く保持することができる。クライミングシュー、および壁に取り付けられるクライミングシューによって壁内に設けられる係留点上に、大きな荷重が作用するので、係留点およびクライミングシューはいずれも、こうした力を確実かつ耐久的に受けることができるように、構造的に設計されなければならない。
【０００３】
ＤＥ１９６４１８１３Ａ１は、壁または屋根に取り付けることができる、ワーキングフレーム（ｗｏｒｋｉｎｇ  ｆｒａｍｅ）を開示している。ワーキングフレームは、壁と平行に延びる荷重担持桁を有し、その上方部分内に、懸架フックが設けられる。懸架フックは、ソケットピンによって荷重担持桁に取り付けられ、係留プレートの荷重受けボルト内で懸架される。
【０００４】
ＦＲ２２９８６６２Ａは、コンクリートが打たれる壁の両側と接触する型板を有する、クライミングケーシングを図示および説明する。各型板は、装置によってリフティングさせることができ、それらの角度は、コンクリートが打たれる壁の外面に対して調整される。壁と平行な支えおよび締結装置によって、装置は、既に硬化されたコンクリート部分に取り付けられる。締結装置はそれぞれ、壁に対して垂直に構成され、壁内に係留された壁部分へと枢動式に取り付けられた、荷重担持桁を有する。
【発明の開示】
【発明が解決しようとする課題】
【０００５】
本発明の目的は、クライミングレールおよびそれに連結された装備品の重量によってもたらされる、可能な限りモーメントのない力を壁内の係留点内へと誘導し、かつ／またはそれらの力をモーメントのないやり方で受けることができる、クライミングシューを提供することである。
【課題を解決するための手段】
【０００６】
この目的は、摺動シュー部分および壁または天井シュー部分を有する、建物領域内のクライミングシューによって達成され、壁または天井シュー部分は、コンクリート部分の壁または天井に堅く取り付けることができ、摺動シューは、クライミングレールを案内し保持するための手段を有し、壁または天井シュー部分は、関節をなすやり方で摺動シュー部分に連結され、壁または天井シュー部分は、垂直に構成された軸の周りで枢動可能であり、摺動シュー部分は、水平に構成された軸の周りで、壁または天井シュー部分に対して枢動可能である。
【０００７】
壁または天井と摺動シュー部分との間の、カルダン継手を形成する関節式連結部よって、摺動シュー部分をクライミングレールに取り付けることができ、クライミングレールは、荷重を受け、摺動シュー部分内に形成されたキャッチに対するカウンタベアリングとして作用し、キャッチは、支持部としてクライミングレールの荷重受けボルトを保持する。関節式ベアリングによって、摺動シュー部分を、力の流れが最適化されるという観点に従って、クライミングレール、壁または天井シュー部分、および壁内の係留点に対して位置合せすることが可能になる。クライミングシューがカルダン継手を有する場合、クライミングシュー内で保持されるクライミングレールを、常に互いに平行に位置合せすることができる。これはまた、たとえば持送りまたはレールなど、クライミングレール上の装備品の、平行な配列を可能にする。
【０００８】
本発明のさらなる実施形態では、壁または天井シュー部分は、取外し可能なスタブシャフトによって、摺動シュー部分に連結される。これは、クライミングシューを、必要に応じて分割することができるという利点を有する。これによって、クライミングレールのより容易な取付けまたは取外しが可能になる。
【０００９】
摺動シュー部分内で支えられる間接式キャッチは、クライミングレールの荷重受けボルトのための支持部として働き、キャッチは、摺動シュー部分内のクライミングレールの移動が可能となるような方法で、摺動シュー部分内で枢動させることができる。クライミングレールが上昇するとき、キャッチは、荷重担持ボルトと非係合状態になり、クライミング手順が終了すると、キャッチは、自動的に枢動してその初期位置へと戻り、その新しい位置内の構造の壁部上で、クライミングレールを非可動式に再び保持することができる。
【００１０】
本発明によるクライミングシューを、以下の図において示し説明する。実施形態において図示および説明される継手は、例であると理解されるべきであり、別の構造の実施形態によって形成することもできる。クライミングレールの荷重担持ボルトはまた、摺動シュー部分の適当なキャッチ凹部内に係合することができる開口部、ブラケット、または突起で置換することもできる。
【００１１】
壁または天井シュー部分内の１つの継手のみを有し、かつ壁または天井シュー部分と摺動シュー部分との間の強固な連結部を有するクライミングシューも、当然使用することができる。接合部は、垂直または水平に構成することができる。
【発明を実施するための最良の形態】
【００１２】
図は、本発明の実施形態を非常に概略的な形で示し、縮尺通りではない。
【００１３】
同一の機能的要素は、以下で説明する図において、主に同一の参照番号で示す。これらの機能的要素は、最も異なる方法で設計することができる。
【００１４】
図１は、クライミングシュー１０の側面図および部分断面図において、それが係留点にてコンクリート部分１４の壁１２へと固定的なやり方で、どのように取り付けられるかを示す。クライミングシュー１０は、摺動シュー部分１６および壁シュー部分１８を備える。クライミングレール２０は、摺動シュー部分１６のキャッチ２２によって保持され、クライミングレール２０の荷重担持ボルト２４を下方から支持するそのキャッチ２２内で、側面に沿って案内される。キャッチ２２は、その外側への最大枢動位置において示されており、摺動シュー１６内のカウンタベアリングが、キャッチ２２のさらなる時計回り方向の枢動を妨げる。
【００１５】
クライミングシリンダ２６が、クライミングシュー１０の摺動シュー部分１６上に取り付けられている。クライミングシリンダ２６の最低部のみを見ることができ、ケーシング２８がそれに連結され、それによってクライミングシリンダ２６が、クライミングシュー１０の関節シャフト３０上に配置されている。固定ボルト３２が、関節シャフト３０の周りのクライミングシリンダ２６の枢動範囲を損なわずに、ケーシング２８を関節接合部３０に固定する。固定ボルト３２が、ばね力に逆らって引っ張ることによって関節シャフト３０と非係合状態になる場合、クライミングシリンダ２６を、関節シャフト３０から取り外すことができる。クライミングシリンダ２６のケーシング２８は、摺動シュー部分１６のケーシング壁上の、ゴムまたは粘塑性要素３３によって支持される。
【００１６】
摺動シュー部分１６は、水平に構成されたスタブシャフト３４によって、関節をなすやり方で壁シュー部分１８に連結される。摺動シュー部分１６は、スタブシャフト３４の周りで、壁シュー部分１８に対して枢動させることができる。
【００１７】
摺動シュー部分１６内で、キャッチ２２を、枢動点３６の周りでばね３６の圧力に逆らって、反時計回りに枢動させることができる。
【００１８】
キャッチ２２が、クライミングレール２０の荷重担持ボルト２４を通した重量荷重を受けない場合、キャッチ２２は、レバー４０を用いて手動で、摺動シュー部分１６内でばね３８の圧力に逆らって枢動させることができる。これは、クライミングレール２０を、静止したクライミングシュー１０に対して下向きに動かさなければならないときに、いつでも必要となる。
【００１９】
図は、コンクリート部分１４、クライミングレール２０、およびクライミングシリンダ２６の、細部のみを示す。
【００２０】
図２は、クライミングシリンダ２０によって、コンクリート部分１４の壁１２に沿って矢印４２の方向へと上方に動かされるときの、クライミングレール２０のモーメントによる持上げを示す。クライミングレール２０の、矢印４２の方向でのこのクライミング手順のために、クライミングシリンダ２６のピストンが伸張させられ、ピストンはまた、その自由端部にて、クライミングレール２０の荷重担持ボルト２４を下方から把持および支持することができるキャッチを有する。
【００２１】
クライミングレール２０が、クライミングシリンダ２６によって矢印４２の方向に動かされるとき、クライミングレール２０の荷重担持ボルト２４は、キャッチ２２の逆傾斜部４４上に押しつけられ、キャッチ２２を、枢動点３６の周りでばね３８の圧力に逆らって枢動させる。次いでキャッチ２２は、クライミングシュー１０の摺動シュー部分１６内へと枢動する。
【００２２】
図３は、コンクリート部分１４の壁１２上にある、図１および図２のクライミングシュー１０、ならびに、キャッチ２２がどのように、ばね３８の力によって回転点３６の周りで枢動してその初期位置へと戻るかを示す。クライミングレール２０が、クライミングシリンダ２６によって矢印４２の方向にさらに動かされ、そのため荷重担持ボルト２４がキャッチ２２を再び解放し、それによってキャッチ２２が、その初期設定へと枢動して戻ることができた。
【００２３】
クライミングシリンダ２６が収縮されるとき、荷重担持ボルト２４は、キャッチ２２上に載り、クライミングシュー１０は、クライミングレール２０を、図示のコンクリート部分１４の壁１２上の位置に保持する。
【００２４】
図４は、摺動シュー部分１６および天井シュー部分４６で構成される、修正されたクライミングシュー１０の側面図を示す。天井シュー部分４６は、コンクリート部分１４の天井４８上に載り、また、固定的なやり方でそこに締結される。サブシャフト３４によって、摺動シュー部分１６は、関節をなすやり方で天井シュー部分４６に取り付けられる。スタブシャフト３４が、天井シュー部分４６から取り外される場合、摺動シュー部分１６をつめ５０と共に、天井シュー部分４６から取り外すことができる。クライミングレールが挿入されるときに、クライミングレールの荷重担持ボルトの下部を把持し、あるいは、クライミング手順中に荷重担持ボルトによって枢動させることができる、摺動シュー部分１６の１つまたは複数のキャッチは、つめ５０によって覆われる。関節をなすやり方で摺動シュー部分１６内のキャッチに取り付けられた、レバー４０が図示され、レバー４０によって、摺動シュー部分１６内の１つまたは複数のキャッチを、手動で枢動させることができる。
【００２５】
ブラケット５２が、関節シャフト３０を有する摺動シュー部分１６上に示されている。関節シャフト３０上に、クライミングシリンダを配置することができる。
【００２６】
図５は、摺動シュー部分１６および壁シュー部分１８を備えるクライミングシュー１０が、コンクリート部分１４の壁１２へと固定的なやり方で、どのように取り付けられるかを示す平面図である。摺動シュー部分１６は、スタブシャフト３４によって、関節をなすやり方で壁シュー部分１８に連結される。つめ５０は、クライミングレール２０のＵ字形側面（プロファイル）のリムを包囲し、壁１２上で案内されるクライミングレール２０を保持する。摺動シュー部分１６のキャッチ２２は、クライミングレール２０の片側上の、荷重受けボルト２４を支持する。摺動シュー部分１６上に、クライミングシリンダを取り付けるための、関節シャフト３０が構成されている。左側のつめ５０の可能な枢動運動を妨げる係止ボルト５６が、その保持装置から引き抜かれる場合、片方のつめ５０を、軸５４の周りで枢動させることができる。
【００２７】
図６は、つめ５０が一方の外側に回転された、図５のクライミングシュー１０を示す。
【００２８】
クライミングレール２０が存在する状態でも、コンクリート部分１４の壁１２上のクライミングシュー１０が分解されまたは取り外される場合、係止ボルト５６が、摺動シュー部分１６の剛性の壁部分と非係合状態にされつめ５０内部の開口から引き抜かれる場合に、摺動シュー部分１６の１つのつめ５０を、回転させて開くことができる。係止が解放された後に、つめ５０を、軸５４の周りで枢動させることができる。つめ５０が回転して開かれている場合、係止ボルト５６を、つめ５０を係止するその位置内に再び配置することができ、したがって、つめ５０が図示の位置に維持されることが保証される。摺動シュー部分１６と壁シュー部分１８との間のスタブシャフト３４が、それを接合ベアリングから矢印５７の方向に引き出すことによって取り外される場合、摺動シュー部分１６を、クライミングレール２０から取り外すことができる。必要に応じて、壁シュー部分１８もまた、壁内の係留点から緩めて取り外すことができる。
【００２９】
図７は、コンクリート部分１４の壁１２上の、カルダン式に支えられた（ｃａｒｄａｎ−ｂｏｒｎｅ）クライミングシュー１０の側面図を示す。摺動シュー部分１６は、スタブシャフト３４によって、関節をなすやり方で壁シュー部分１８に水平に連結される。図１から図６のクライミングシューに加えて、壁シュー部分１８は、垂直の軸５８を有し、その周りで壁シュー部分１８を、摺動シュー部分１６共に必要に応じて枢動させることができる。摺動シュー部分１６上に、関節シャフト３０を有するブラケット５２がある。つめ５０は、つめ５０の間に構成されたキャッチを覆う。
【００３０】
図８は、図７の、カルダン式に支えられたクライミングシュー１０の平面図を示す。クライミングシュー１０は、コンクリート部分１４の壁１２上で固定的に保持され、垂直軸５８の周り、およびスタブシャフト３４によって形成された水平軸の周りで、枢動させることができる。摺動シュー部分１６は、スタブシャフト３４によって壁シュー部分１８上で枢動式に保持されており、壁シュー部分１８は、軸５８によって、摺動シュー部分から独立して摺動させることができる。つめ５０が、軸５４の周りで枢動式に支えられ、係止ボルト５６は、係止位置において、摺動シュー部分１６と枢動可能なつめ５０との間に、強固なつめ連結部をもたらす。枢動可能なキャッチ２２が、摺動シュー部分１６内でつめ５０の間に構成される。
【００３１】
図９は、丸みを帯びて示される、コンクリート部分１４の平面図を示す。コンクリート部分１４上に設けられた係留点にて、クライミングシュー１０が取り付けられ、クライミングシュー１０はそれぞれ、つめの間のクライミングレール２０を案内し、また、クライミングレール２０は、クライミングシュー１０内に構成されたキャッチを用いて、クライミングレール２０内に設けられた荷重担持ボルト２４によって定位置に保持される。
【００３２】
クライミングレール２０に、持送りおよび／またはレール６０が取り付けられており、持送りおよび／またはレール６０同士は、カルダン式に支えられたクライミングシュー１０によって、コンクリート部分１４上で常に平行に配列される。持送りまたはレール６０が常に平行である場合、コンクリート部分１４内に異なる湾曲部が存在する際も、レール６０によって型枠キャリッジを、コンクリート部分１４へと、かつコンクリート部分１４から、動かすことができる。持送り６０またはレールが、コンクリート部分１４の曲率半径と無関係に常に互いに平行になるように、垂直軸５８によって、クライミングシュー１０を、クライミングレールと常に位置合せすることができる。
【００３３】
クライミングシュー１０は、摺動シュー部分１６および壁シュー部分１８を備える。摺動シュー部分１６は、クライミングレールを案内し、保持することができるように設計される。壁シュー部分１８は、関節をなすやり方で、摺動シュー部分１６に連結される。
【図面の簡単な説明】
【００３４】
【図１】クライミングシューがどのように、固定的なやり方でコンクリートの壁に取り付けられ、クライミングレールを非可動式に案内し保持するかを、本発明によるクライミングシューを通る断面において示す図である。
【図２】キャッチがクライミングシュー内へと枢動させられた状態の、本発明によるクライミングシューを通る断面図である。
【図３】キャッチがクライミングシューの外側へと枢動させられ、荷重担持ボルトと係合しない状態である、図１および図２による、本発明によるクライミングシューを通る断面図である。
【図４】コンクリート部分の天井上に配置され締結された天井シュー部分を有する、クライミングシューを示す図である。
【図５】つめでクライミングレールを把持する、コンクリート部分に取り付けられたクライミングシューを示す平面図である。
【図６】クライミングレールからの取外しのために片側でつめが開いた状態である、壁のコンクリート部分に取り付けられたクライミングシューを示す平面図である。
【図７】水平および垂直に位置合せされた軸の周りのカルダン継手を用いて、コンクリート部分の壁に固定的なやり方で取り付けられた、クライミングシューを示す側面図である。
【図８】図７によるクライミングシューを示す平面図である。
【図９】カルダン継手を用いて固定的なやり方で、コンクリート部分の凸状の壁に取り付けられたクライミングシューを、平行に配列された持送りまたはレール要素を保持するクライミングレールと共に示す図である。
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
クライミング型枠のための関節式クライミングプレート（１０）であって、摺動シュー部分（１６）と、壁又は天井シュー部分（１８）とを備え、前記壁又は天井シュー部分（１８）は、壁（１２）又はコンクリート部分（１４）の天井に固定的なやり方で締結させることができ、前記摺動シュー部分（１６）は、クライミングレール（２０）を案内及び保持する手段を有し、それによって、前記壁又は天井シュー部分（１８）は、関節をなすやり方で前記摺動シュー部分（１６）に連結され、前記壁又は天井シュー部分（１８）が、垂直軸（５８）の周りで枢動可能であり、前記摺動シュー部分（１６）が、水平軸の周りで前記壁又は天井シュー部分（１８）に対して枢動可能である関節式クライミングプレート（１０）。
【請求項２】
前記壁又は天井シュー部分（１８）が、取外し可能なスタブシャフト（３４）によって、前記摺動シュー部分（１６）に連結されることを特徴とする、請求項１に記載の関節式クライミングプレート。
【請求項３】
前記摺動シュー部分（１６）内に、枢動可能なキャッチ（２２）がクライミングレール（２０）の荷重担持ボルト（２４）の架台として設けられることを特徴とする、請求項１又は２に記載の関節式クライミングプレート。
【手続補正２】
【補正対象書類名】明細書
【補正対象項目名】全文
【補正方法】変更
【補正の内容】
【発明の詳細な説明】
【技術分野】
【０００１】
本発明は、既に製作されたコンクリート部分上の構造の壁上でレールを保持するために使用されるような、クライミング型枠のための関節式クライミングプレートに関する。
【背景技術】
【０００２】
知られているクライミングプレートは、壁上でクライミングレールを案内及び保持し、新しいコンクリート部分を立設するために必要な装備品を、クライミングレールに取り付けることができる。クライミングレールは、クライミングプレート内部で必要に応じて動かすことができ、クライミングプレート内の所要の位置で、堅く保持することができる。クライミングプレート、及び壁に取り付けられるクライミングプレートによって壁内に設けられる係留点上に、大きな荷重が作用するので、係留点及びクライミングプレートはいずれも、こうした力を確実かつ耐久的に受けることができるように、構造的に設計されなければならない。
【０００３】
ＤＥ１９６４１８１３Ａ１は、壁又は屋根に取り付けることができる、ワーキングフレーム（ｗｏｒｋｉｎｇ  ｆｒａｍｅ）を開示している。ワーキングフレームは、壁と平行に延びる荷重担持桁を有し、その上方部分内に、懸架フックが設けられる。懸架フックは、ソケットピンによって荷重担持桁に取り付けられ、係留プレートの荷重受けボルト内で懸架される。
【０００４】
ＦＲ２２９８６６２Ａは、コンクリートが打たれる壁の両側と接触する型板を有する、クライミングケーシングを図示及び説明する。各型板は、装置によってリフティングさせることができ、それらの角度は、コンクリートが打たれる壁の外面に対して調整される。壁と平行な支え及び締結装置によって、装置は、既に硬化されたコンクリート部分に取り付けられる。締結装置はそれぞれ、壁に対して垂直に構成され、壁内に係留された壁部分へと枢動式に取り付けられた、荷重担持桁を有する。
【発明の開示】
【発明が解決しようとする課題】
【０００５】
本発明の目的は、クライミングレール及びそれに連結された装備品の重量によってもたらされる、可能な限りモーメントのない力を壁内の係留点内へと誘導し、かつ／又はそれらの力をモーメントのないやり方で受けることができる、クライミング型枠のための関節式クライミングプレートを提供することである。
【課題を解決するための手段】
【０００６】
この目的は、摺動シュー部分及び壁又は天井シュー部分を有する、クライミング型枠のための関節式クライミングプレートによって達成され、壁又は天井シュー部分は、コンクリート部分の壁又は天井に堅く取り付けることができ、摺動シューは、クライミングレールを案内し保持するための手段を有し、壁又は天井シュー部分は、関節をなすやり方で摺動シュー部分に連結され、壁又は天井シュー部分は、垂直に構成された軸の周りで枢動可能であり、摺動シュー部分は、水平に構成された軸の周りで、壁又は天井シュー部分に対して枢動可能である。
【０００７】
壁又は天井と摺動シュー部分との間の、カルダン継手を形成する関節式連結部よって、摺動シュー部分をクライミングレールに取り付けることができ、クライミングレールは、荷重を受け、摺動シュー部分内に形成されたキャッチに対するカウンタベアリングとして作用し、キャッチは、支持部としてクライミングレールの荷重受けボルトを保持する。関節式ベアリングによって、摺動シュー部分を、力の流れが最適化されるという観点に従って、クライミングレール、壁又は天井シュー部分、及び壁内の係留点に対して位置合せすることが可能になる。クライミングプレートがカルダン継手を有する場合、クライミングプレート内で保持されるクライミングレールを、常に互いに平行に位置合せすることができる。これはまた、たとえば持送り又はレールなど、クライミングレール上の装備品の、平行な配列を可能にする。
【０００８】
本発明のさらなる実施形態では、壁又は天井シュー部分は、取外し可能なスタブシャフトによって、摺動シュー部分に連結される。これは、クライミングプレートを、必要に応じて分割することができるという利点を有する。これによって、クライミングレールのより容易な取付け又は取外しが可能になる。
【０００９】
摺動シュー部分内で支えられる間接式キャッチは、クライミングレールの荷重受けボルトのための支持部として働き、キャッチは、摺動シュー部分内のクライミングレールの移動が可能となるような方法で、摺動シュー部分内で枢動させることができる。クライミングレールが上昇するとき、キャッチは、荷重担持ボルトと非係合状態になり、クライミング手順が終了すると、キャッチは、自動的に枢動してその初期位置へと戻り、その新しい位置内の構造の壁部上で、クライミングレールを非可動式に再び保持することができる。
【００１０】
本発明によるクライミングプレートを、以下の図において示し説明する。実施形態において図示及び説明される継手は、例であると理解されるべきであり、別の構造の実施形態によって形成することもできる。クライミングレールの荷重担持ボルトはまた、摺動シュー部分の適当なキャッチ凹部内に係合することができる開口部、ブラケット又は突起で置換することもできる。
【００１１】
壁又は天井シュー部分内の１つの継手のみを有し、かつ壁又は天井シュー部分と摺動シュー部分との間の強固な連結部を有するクライミングプレートも、当然使用することができる。接合部は、垂直又は水平に構成することができる。
【発明を実施するための最良の形態】
【００１２】
図は、本発明の実施形態を非常に概略的な形で示し、縮尺通りではない。
【００１３】
同一の機能的要素は、以下で説明する図において、主に同一の参照番号で示す。これらの機能的要素は、最も異なる方法で設計することができる。
【００１４】
図１は、クライミングプレート１０の側面図及び部分断面図において、それが係留点にてコンクリート部分１４の壁１２へと固定的なやり方で、どのように取り付けられるかを示す。クライミングプレート１０は、摺動シュー部分１６及び壁シュー部分１８を備える。クライミングレール２０は、摺動シュー部分１６のキャッチ２２によって保持され、クライミングレール２０の荷重担持ボルト２４を下方から支持するそのキャッチ２２内で、側面に沿って案内される。キャッチ２２は、その外側への最大枢動位置において示されており、摺動シュー１６内のカウンタベアリングが、キャッチ２２のさらなる時計回り方向の枢動を妨げる。
【００１５】
クライミングシリンダ２６が、クライミングプレート１０の摺動シュー部分１６上に取り付けられている。クライミングシリンダ２６の最低部のみを見ることができ、ケーシング２８がそれに連結され、それによってクライミングシリンダ２６が、クライミングプレート１０の関節シャフト３０上に配置されている。固定ボルト３２が、関節シャフト３０の周りのクライミングシリンダ２６の枢動範囲を損なわずに、ケーシング２８を関節接合部３０に固定する。固定ボルト３２が、ばね力に逆らって引っ張ることによって関節シャフト３０と非係合状態になる場合、クライミングシリンダ２６を、関節シャフト３０から取り外すことができる。クライミングシリンダ２６のケーシング２８は、摺動シュー部分１６のケーシング壁上の、ゴム又は粘塑性要素３３によって支持される。
【００１６】
摺動シュー部分１６は、水平に構成されたスタブシャフト３４によって、関節をなすやり方で壁シュー部分１８に連結される。摺動シュー部分１６は、スタブシャフト３４の周りで、壁シュー部分１８に対して枢動させることができる。
【００１７】
摺動シュー部分１６内で、キャッチ２２を、枢動点３６の周りでばね３６の圧力に逆らって、反時計回りに枢動させることができる。
【００１８】
キャッチ２２が、クライミングレール２０の荷重担持ボルト２４を通した重量荷重を受けない場合、キャッチ２２は、レバー４０を用いて手動で、摺動シュー部分１６内でばね３８の圧力に逆らって枢動させることができる。これは、クライミングレール２０を、静止したクライミングプレート１０に対して下向きに動かさなければならないときに、いつでも必要となる。
【００１９】
図は、コンクリート部分１４、クライミングレール２０及びクライミングシリンダ２６の、細部のみを示す。
【００２０】
図２は、クライミングシリンダ２０によって、コンクリート部分１４の壁１２に沿って矢印４２の方向へと上方に動かされるときの、クライミングレール２０のモーメントによる持上げを示す。クライミングレール２０の、矢印４２の方向でのこのクライミング手順のために、クライミングシリンダ２６のピストンが伸張させられ、ピストンはまた、その自由端部にて、クライミングレール２０の荷重担持ボルト２４を下方から把持及び支持することができるキャッチを有する。
【００２１】
クライミングレール２０が、クライミングシリンダ２６によって矢印４２の方向に動かされるとき、クライミングレール２０の荷重担持ボルト２４は、キャッチ２２の逆傾斜部４４上に押しつけられ、キャッチ２２を、枢動点３６の周りでばね３８の圧力に逆らって枢動させる。次いでキャッチ２２は、クライミングプレート１０の摺動シュー部分１６内へと枢動する。
【００２２】
図３は、コンクリート部分１４の壁１２上にある、図１及び図２のクライミングプレート１０、ならびに、キャッチ２２がどのように、ばね３８の力によって回転点３６の周りで枢動してその初期位置へと戻るかを示す。クライミングレール２０が、クライミングシリンダ２６によって矢印４２の方向にさらに動かされ、そのため荷重担持ボルト２４がキャッチ２２を再び解放し、それによってキャッチ２２が、その初期設定へと枢動して戻ることができた。
【００２３】
クライミングシリンダ２６が収縮されるとき、荷重担持ボルト２４は、キャッチ２２上に載り、クライミングプレート１０は、クライミングレール２０を、図示のコンクリート部分１４の壁１２上の位置に保持する。
【００２４】
図４は、摺動シュー部分１６及び天井シュー部分４６で構成される、修正されたクライミングプレート１０の側面図を示す。天井シュー部分４６は、コンクリート部分１４の天井４８上に載り、また、固定的なやり方でそこに締結される。サブシャフト３４によって、摺動シュー部分１６は、関節をなすやり方で天井シュー部分４６に取り付けられる。スタブシャフト３４が、天井シュー部分４６から取り外される場合、摺動シュー部分１６をつめ５０と共に、天井シュー部分４６から取り外すことができる。クライミングレールが挿入されるときに、クライミングレールの荷重担持ボルトの下部を把持し、あるいは、クライミング手順中に荷重担持ボルトによって枢動させることができる、摺動シュー部分１６の１つ又は複数のキャッチは、つめ５０によって覆われる。関節をなすやり方で摺動シュー部分１６内のキャッチに取り付けられた、レバー４０が図示され、レバー４０によって、摺動シュー部分１６内の１つ又は複数のキャッチを、手動で枢動させることができる。
【００２５】
ブラケット５２が、関節シャフト３０を有する摺動シュー部分１６上に示されている。関節シャフト３０上に、クライミングシリンダを配置することができる。
【００２６】
図５は、摺動シュー部分１６及び壁シュー部分１８を備えるクライミングプレート１０が、コンクリート部分１４の壁１２へと固定的なやり方で、どのように取り付けられるかを示す平面図である。摺動シュー部分１６は、スタブシャフト３４によって、関節をなすやり方で壁シュー部分１８に連結される。つめ５０は、クライミングレール２０のＵ字形側面（プロファイル）のリムを包囲し、壁１２上で案内されるクライミングレール２０を保持する。摺動シュー部分１６のキャッチ２２は、クライミングレール２０の片側上の、荷重受けボルト２４を支持する。摺動シュー部分１６上に、クライミングシリンダを取り付けるための、関節シャフト３０が構成されている。左側のつめ５０の可能な枢動運動を妨げる係止ボルト５６が、その保持装置から引き抜かれる場合、片方のつめ５０を、軸５４の周りで枢動させることができる。
【００２７】
図６は、つめ５０が一方の外側に回転された、図５のクライミングプレート１０を示す。
【００２８】
クライミングレール２０が存在する状態でも、コンクリート部分１４の壁１２上のクライミングプレート１０が分解され又は取り外される場合、係止ボルト５６が、摺動シュー部分１６の剛性の壁部分と非係合状態にされつめ５０内部の開口から引き抜かれる場合に、摺動シュー部分１６の１つのつめ５０を、回転させて開くことができる。係止が解放された後に、つめ５０を、軸５４の周りで枢動させることができる。つめ５０が回転して開かれている場合、係止ボルト５６を、つめ５０を係止するその位置内に再び配置することができ、したがって、つめ５０が図示の位置に維持されることが保証される。摺動シュー部分１６と壁シュー部分１８との間のスタブシャフト３４が、それを接合ベアリングから矢印５７の方向に引き出すことによって取り外される場合、摺動シュー部分１６を、クライミングレール２０から取り外すことができる。必要に応じて、壁シュー部分１８もまた、壁内の係留点から緩めて取り外すことができる。
【００２９】
図７は、コンクリート部分１４の壁１２上の、カルダン式に支えられた（ｃａｒｄａｎ−ｂｏｒｎｅ）クライミングプレート１０の側面図を示す。摺動シュー部分１６は、スタブシャフト３４によって、関節をなすやり方で壁シュー部分１８に水平に連結される。図１から図６のクライミングプレートに加えて、壁シュー部分１８は、垂直の軸５８を有し、その周りで壁シュー部分１８を、摺動シュー部分１６共に必要に応じて枢動させることができる。摺動シュー部分１６上に、関節シャフト３０を有するブラケット５２がある。つめ５０は、つめ５０の間に構成されたキャッチを覆う。
【００３０】
図８は、図７の、カルダン式に支えられたクライミングプレート１０の平面図を示す。クライミングプレート１０は、コンクリート部分１４の壁１２上で固定的に保持され、垂直軸５８の周り、及びスタブシャフト３４によって形成された水平軸の周りで、枢動させることができる。摺動シュー部分１６は、スタブシャフト３４によって壁シュー部分１８上で枢動式に保持されており、壁シュー部分１８は、軸５８によって、摺動シュー部分から独立して摺動させることができる。つめ５０が、軸５４の周りで枢動式に支えられ、係止ボルト５６は、係止位置において、摺動シュー部分１６と枢動可能なつめ５０との間に、強固なつめ連結部をもたらす。枢動可能なキャッチ２２が、摺動シュー部分１６内でつめ５０の間に構成される。
【００３１】
図９は、丸みを帯びて示される、コンクリート部分１４の平面図を示す。コンクリート部分１４上に設けられた係留点にて、クライミングプレート１０が取り付けられ、クライミングプレート１０はそれぞれ、つめの間のクライミングレール２０を案内し、また、クライミングレール２０は、クライミングプレート１０内に構成されたキャッチを用いて、クライミングレール２０内に設けられた荷重担持ボルト２４によって定位置に保持される。
【００３２】
クライミングレール２０に、持送り及び／又はレール６０が取り付けられており、持送り及び／又はレール６０同士は、カルダン式に支えられたクライミングプレート１０によって、コンクリート部分１４上で常に平行に配列される。持送り又はレール６０が常に平行である場合、コンクリート部分１４内に異なる湾曲部が存在する際も、レール６０によって型枠キャリッジを、コンクリート部分１４へと、かつコンクリート部分１４から、動かすことができる。持送り６０又はレールが、コンクリート部分１４の曲率半径と無関係に常に互いに平行になるように、垂直軸５８によって、クライミングプレート１０を、クライミングレールと常に位置合せすることができる。
【００３３】
クライミングプレート１０は、摺動シュー部分１６及び壁シュー部分１８を備える。摺動シュー部分１６は、クライミングレールを案内し、保持することができるように設計される。壁シュー部分１８は、関節をなすやり方で、摺動シュー部分１６に連結される。
【図面の簡単な説明】
【００３４】
【図１】クライミングプレートがどのように、固定的なやり方でコンクリートの壁に取り付けられ、クライミングレールを非可動式に案内し保持するかを、本発明によるクライミングプレートを通る断面において示す図である。
【図２】キャッチがクライミングプレート内へと枢動させられた状態の、本発明によるクライミングプレートを通る断面図である。
【図３】キャッチがクライミングプレートの外側へと枢動させられ、荷重担持ボルトと係合しない状態である、図１及び図２による、本発明によるクライミングプレートを通る断面図である。
【図４】コンクリート部分の天井上に配置され締結された天井シュー部分を有する、クライミングプレートを示す図である。
【図５】つめでクライミングレールを把持する、コンクリート部分に取り付けられたクライミングプレートを示す平面図である。
【図６】クライミングレールからの取外しのために片側でつめが開いた状態である、壁のコンクリート部分に取り付けられたクライミングプレートを示す平面図である。
【図７】水平及び垂直に位置合せされた軸の周りのカルダン継手を用いて、コンクリート部分の壁に固定的なやり方で取り付けられた、クライミングプレートを示す側面図である。
【図８】図７によるクライミングプレートを示す平面図である。
【図９】カルダン継手を用いて固定的なやり方で、コンクリート部分の凸状の壁に取り付けられたクライミングプレートを、平行に配列された持送り又はレール要素を保持するクライミングレールと共に示す図である。
【国際調査報告】
2008546937.tif 000012
2008546937.tif 000013
2008546937.tif 000014
2008546937.tif 000015
2008546937.tif 000016
2008546937.tif 000017